(57)【要約】      （修正有）【課題】本発明は乾燥箱を備える水蒸気の滴下防止を制御する製紙用乾燥機を提供。【解決手段】乾燥箱１の内底壁に複数の支持棒２が溶接され、支持棒の表面に支持板３が溶接され、乾燥箱の表面にガスパイプライン４が嵌着され、乾燥箱の内側上部に水蒸気制御器５が溶接され、水蒸気制御器は２つの面からなり、前記水蒸気制御器の底面は傾斜状を呈し、支持板は、水蒸気制御器の下面の直下に位置し、水蒸気制御器の下面には複数の水滴溝６が設けられ、水の流速制御といった方式で水蒸気の凝縮を制御することにより、乾燥機内部の水蒸気量を制御し、過度の水蒸気の凝縮を避けることを特徴とする。【選択図】図１
2020176367.tif 000002
【特許請求の範囲】
【請求項１】
乾燥箱（１）を備える水蒸気の滴下防止を制御する製紙用乾燥機であって、前記乾燥箱（１）の内底壁に複数の支持棒（２）が溶接され、前記支持棒（２）の表面に支持板（３）が溶接され、前記乾燥箱（１）の表面にガスパイプライン（４）が嵌着され、前記乾燥箱（１）の内側上部に水蒸気制御器（５）が溶接され、前記水蒸気制御器（５）は２つの面からなり、前記水蒸気制御器（５）の底面は傾斜状を呈し、前記支持板（３）は、水蒸気制御器（５）の下面の直下に位置し、前記水蒸気制御器（５）の下面には複数の水滴溝（６）が設けられ、前記乾燥箱（１）の表面には、複数の排気孔（７）が設けられ、前記水滴溝（６）の一端にガイドブロック（８）が溶接され、前記ガイドブロック（８）の表面は傾斜状を呈し、前記ガイドブロック（８）の表面にガイド溝（９）が設けられ、前記ガイドブロック（８）の水滴溝（６）から離れた端部は排気孔（７）の内壁に溶接され、前記乾燥箱（１）の表面に案内ブロック（１０）が溶接され、前記ガイドブロック（１０）の上面は円弧状を呈し、前記排気孔（７）の乾燥箱（１）の外部に位置する端部は案内ブロック（１０）の上方に位置し、前記水蒸気制御器（５）を構成する２つの面と前記乾燥箱（１）の内側上部との間に冷却室（１１）が設置され、前記冷却室（１１）の内壁に止水板（１２）が溶接され、２つごとの前記止水板（１２）同士間の距離が同じであり、前記乾燥箱（１）の上部に接続ブロック（１３）が溶接され、前記接続ブロック（１３）の表面に冷水管（１４）が溶接され、前記冷水管（１４）の下面に複数の冷水分配管（１５）が密封嵌着され、前記冷水分配管（１５）の冷水管（１４）から離れた端部は前記乾燥箱（１）を貫通して冷却室（１１）の内部まで延び、２つごとの前記止水板（１２）同士間の上部には冷水分配管（１５）が設置され、前記冷水分配管（１５）に制御水弁（１６）が固定的に取り付けられ、前記乾燥箱（１）の表面に送水管（１７）が固定的に接続され、前記送水管（１７）の表面は傾斜状を呈し、前記送水管（１７）の表面は冷却室（１１）の内部と密封して連通し、前記乾燥箱（１）の表面に集水タンク（１８）が固定的に取り付けられ、前記集水タンク（１８）の上面に配水管（１９）が嵌着され、前記配水管（１９）は案内ブロック（１０）の一端の直下に位置し、前記集水タンク（１８）の上面に集水管（２０）が嵌着され、前記集水管（２０）の前記集水タンク（１８）から離れたの端部は送水管（１７）の表面に密封嵌着され、前記集水タンク（１８）の表面に排水管（２１）が嵌着される、ことを特徴とする水蒸気の滴下防止を制御する製紙用乾燥機。
【請求項２】
前記支持棒（２）の長さが異なり、前記支持棒（２）に溶接される支持板（３）の表面は傾斜状を呈する、ことを特徴とする請求項１に記載の水蒸気の滴下防止を制御する製紙用乾燥機。
【請求項３】
前記ガスパイプライン（４）の前記乾燥箱（１）の内部に位置する端部の高さは傾斜している支持板（３）の比較的低い側に近い、ことを特徴とする請求項２に記載の水蒸気の滴下防止を制御する製紙用乾燥機。
【請求項４】
前記水滴溝（６）の内壁は円弧状を呈し、前記ガイド溝（９）の内壁は円弧状を呈し、前記排気孔（７）の内壁は傾斜状を呈する、ことを特徴とする請求項１に記載の水蒸気の滴下防止を制御する製紙用乾燥機。
【請求項５】
前記水滴溝（６）はガイドブロック（８）と一対一に対応し、前記ガイドブロック（８）は排気孔（７）と一対一に対応する、ことを特徴とする請求項１に記載の水蒸気の滴下防止を制御する製紙用乾燥機。
【請求項６】
前記案内ブロック（１０）の表面にバッフル（２２）が固定的に接続され、前記排気孔（７）の前記乾燥箱（１）の外部に位置する端部の高さは前記バッフル（２２）の高さよりも低い、ことを特徴とする請求項１に記載の水蒸気の滴下防止を制御する製紙用乾燥機。
【請求項７】
前記冷水分配管（１５）の冷却室（１１）の内部に位置する端部から前記冷却室（１１）の内底壁までの高さが同じである、ことを特徴とする請求項１に記載の水蒸気の滴下防止を制御する製紙用乾燥機。
【発明の詳細な説明】
【技術分野】
【０００１】
本発明は電気機械技術の分野に関し、特に水蒸気の滴下防止を制御する製紙用乾燥機に関する。
【背景技術】
【０００２】
製紙業界では紙を脱水して乾燥させる必要がある。乾燥する時に、紙の含水率に従って分ける必要があり、含水率が高い紙は、乾燥する時に大量な水蒸気が発生し、水蒸気が乾燥室の最上部に達すると、水滴に凝縮して紙の上に落ち、紙自体は含水率が高いので、この時に紙への影響はそれほど大きくなく、この段階では大部分の水分を除去するように制御すればよい。含水率は約９０であり、これは急いで使用しない場合である。しかし、急いで使用する紙に対して、それをさらに乾燥する必要があり、この場合、乾燥されると依然として水蒸気が発生してしまい、水蒸気がまた紙に滴下すると、紙の乾燥は均一ではなく更に損傷されることもあり、これに対して、水滴を処理するために検索で乾燥箱が見つけられ、それは乾燥箱の最上部に大きなＶ字形の天板が設置され、天板の中央の下方に水をリードするための水溜りアーク状板が設置され、水滴はＶ字形の天板に沿ってアーク状板へ流れ、この方式はある程度で水滴を持ち去ることができるが、Ｖ字形の天板では水蒸気の最上部での集結が不均一に分布され、厚さが大きい箇所で水蒸気が重く、天板に遮断されて効果的に外部へ流通できず、堆積して凝縮して落下することになる。一方、Ｖ字形天板の下方のアーク状板の表面にも水蒸気を集結し、水が垂れることもある。普通に使われている製紙用乾燥箱は、内側上部への水蒸気を効果的に制御することができず、水蒸気は水滴に凝縮しやすくて紙上に落ちてしまい、紙の乾燥品質を低下させたり、紙を傷つけたりしやすいため、水蒸気の滴下防止を制御する製紙用乾燥機が望ましい。
【先行技術文献】
【特許文献】
【０００３】
【特許文献１】中国特許出願公開第202717599号明細書
【０００４】
従来技術の欠点に対し、本発明は、通常の製紙用乾燥箱が内側上部への水蒸気を効果的に制御することができず、水蒸気が水滴に凝縮して紙上に滴下しやすいという問題を解決する水蒸気の滴下防止を制御する製紙用乾燥機を提供する。
【発明の概要】
【０００５】
上記の目的を達成するために、本発明は以下の技術的解決手段によって達成される：乾燥箱を備える水蒸気の滴下防止を制御する製紙用乾燥機であって、前記乾燥箱の内底壁に複数の支持棒が溶接され、前記支持棒の表面に支持板が溶接され、前記乾燥箱の表面にガスパイプラインが嵌着され、前記乾燥箱の内側上部に水蒸気制御器が溶接され、前記水蒸気制御器は２つの面からなり、前記水蒸気制御器の底面は傾斜状を呈し、前記支持板は、水蒸気制御器の下面の直下に位置し、前記水蒸気制御器の下面には複数の水滴溝が設けられ、前記乾燥箱の表面には、複数の排気孔が設けられ、前記水滴溝の一端にガイドブロックが溶接され、前記ガイドブロックの表面は傾斜状を呈し、前記ガイドブロックの表面にガイド溝が設けられ、前記ガイドブロックの水滴溝（６）から離れた端部は排気孔の内壁に溶接され、前記乾燥箱の表面に案内ブロックが溶接され、前記ガイドブロックの上面は円弧状を呈し、前記排気孔の乾燥箱の外部に位置する端部は案内ブロックの上方に位置する。
【０００６】
前記水蒸気制御器を構成する２つの面と前記乾燥箱の内側上部との間に冷却室が設置され、前記冷却室の内壁に止水板が溶接され、２つごとの前記止水板同士間の距離が同じであり、前記乾燥箱の上部に接続ブロックが溶接され、前記接続ブロックの表面に冷水管が溶接され、前記冷水管の下面に複数の冷水分配管が密封嵌着され、前記冷水分配管の冷水管から離れた端部は前記乾燥箱を貫通して冷却室の内部まで延び、２つごとの前記止水板同士間の上部には冷水分配管が設置され、前記冷水分配管に制御水弁が固定的に取り付けられ、前記乾燥箱の表面に送水管が固定的に接続され、前記送水管の表面は傾斜状を呈し、前記送水管の表面は冷却室の内部と密封して連通し、前記乾燥箱の表面に集水タンクが固定的に取り付けられ、前記集水タンクの上面に配水管が嵌着され、前記配水管は案内ブロックの一端の直下に位置し、前記集水タンクの上面に集水管が嵌着され、前記集水管の前記集水タンクから離れたの端部は送水管の表面に密封して嵌着され、前記集水タンクの表面に排水管が嵌着される。
【０００７】
好ましくは、前記支持棒の長さが異なり、支持棒上に溶接された支持板の表面は傾斜状を呈し、支持板の傾斜方向は熱風を案内するのにも役立ち、熱風はゆっくり上昇して厚い水蒸気層に向かって吹き、水蒸気を加熱することによって、水蒸気が水蒸気制御器に触れていない時に直接に凝縮して落下することを避ける。
【０００８】
好ましくは、前記ガスパイプラインの前記乾燥箱の内部に位置する端部の高さは傾斜している支持板の比較的低い側に近い。
【０００９】
好ましくは、前記水滴溝の内壁は円弧状を呈し、前記ガイド溝の内壁は円弧状を呈し、前記排気孔の内壁は傾斜状を呈し、円弧状のガイド溝は水滴を保持して案内することができ、傾斜している排気孔は排気すると同時に水滴が乾燥箱の内部へ流れることを防止する。
【００１０】
好ましくは、前記水滴溝はガイドブロックと一対一に対応し、前記ガイドブロックは排気孔と一対一に対応する。
【００１１】
好ましくは、前記案内ブロックの表面にバッフルが固定的に接続され、前記排気孔の前記乾燥箱の外部に位置する端部の高さは前記バッフルの高さよりも低く、バッフルは、飛び出された熱風が水滴を直接吹き飛ばすことを避け、また水蒸気がバッフルに衝突して熱水に凝縮して回収される。
【００１２】
好ましくは、前記冷水分配管の冷却室の内部に位置する端部から前記冷却室の内底壁までの距離が同じであり、冷水分配管の高さが低いため、大きな水しぶきがはねて水の流れに大きな衝撃を与えることを避けることができる。
【発明の効果】
【００１３】
（1）本発明は使用する時、頂部に上昇した水蒸気は、水蒸気制御器の下に集中し、水蒸気は、水蒸気制御器の下面の水滴溝内で水滴に凝縮し、水滴は水滴溝の内壁に沿って傾斜して滑り、水滴溝の内壁は水滴が垂直に落下することを防止する。水滴は水滴溝の一端に滑り、ガイドブロックに接触してから、ガイドブロック上のガイド溝の内壁に沿って排気孔の内部に直接に滑って、次いで水滴は傾斜した排気孔の内部に沿って滑り出し、それにより水滴が紙の表面に滴り落ちることを避け、紙の損傷を避ける。
【００１４】
（2）本発明において、使用する時に、水蒸気は紙の上に浮かび、水蒸気は上昇して角に堆積し、これは一般的な現象であり、本発明は、水流を制御する方法を採用して、冷水を冷水管によって各冷水分配管の内部に送り、各冷水分配管の制御水弁の開度が異なり、水蒸気が多く溜まる箇所の上方における冷水分配管の水流が大きく、水流は各冷水分配管に沿って冷却室内部の各止水板の間に送り、水蒸気が多い箇所には水の流速が速く、対応する水滴溝の内壁温度が低く、水蒸気は急速に凝縮して減少させて、乾燥箱から引き出され、水蒸気が多く集結して重くなることによる紙上に落ちて、紙の品質を低下させたり、破損させたりすることを避ける。
【００１５】
（3）本発明は、止水板を設置することによって、冷水を送る時に、各止水板は冷却室の内部をそれぞれ小さな部分に仕切り、それにより、大量の水が高いところから低いところに溜まることを避け、水流の不均一な分布を避け、さらに、吸熱は徹底的にできないことによって水蒸気が凝縮できないという状況の発生を避けるとともに、水の熱交換効率も改善される。
【００１６】
（4）本発明において、使用する時に、凝縮した高温の水滴で水流を形成して排気孔によって案内ブロックに流れ、次いで案内ブロックの内壁に沿って配水管に流れて集水タンクの内部に入り、冷却室の内部で熱交換する水は吸熱した後、送水管に流れて、次いで、集水管を介して集水タンクの内部に入り、廃熱回収の効果が得られ、また水資源の無駄使いを避ける。
【００１７】
（5）本発明は、間隔おきおよび水の流速を制御するといった方式で水蒸気の凝縮を制御することにより、乾燥機内部の水蒸気量を制御し、過度の水蒸気の凝縮を避け、したがって、通常な製紙用乾燥箱は、内側上部への水蒸気を効果的に制御することができず、水蒸気は水滴に凝縮しやすく、紙上に落ちてしまい、紙の乾燥品質を低下させたり、紙を傷つけたりしやすいという問題を効果的に解決する。
【図面の簡単な説明】
【００１８】
【図１】本発明の構造の概略図である。
【００１９】
【図２】本発明の図１におけるＡ箇所構造の拡大図である。
【００２０】
【図３】本発明の図１におけるＢ箇所構造の拡大図である。
【００２１】
【図４】本発明の集水タンクの構造の正面図である。
【００２２】
【図５】本発明のガイドブロックの構造の斜視図である。
【００２３】
ここでは：１乾燥箱、２支持棒、３支持板、４ガスパイプライン、５水蒸気制御器、６水滴溝、７排気孔、８ガイドブロック、９ガイド溝、１０案内ブロック、１１冷却室、１２止水板、１３接続ブロック、１４冷水管、１５冷水分配管、１６制御水弁、１７送水管、１８集水タンク、１９配水管、２０集水管、２１排水管、２２バッフル。
【発明を実施するための形態】
【００２４】
以下、本発明の図面に合わせて、本発明の実施例における技術的解決手段を明確的にかつ完全に説明し、明らかなことに、記載する実施例は本発明の実施例の一部にすぎず、実施例のすべてではない。当業者であれば、創造的な工夫をせずに、本発明の実施例に基づいて得られる他のすべての実施例は、本発明の保護範囲内にあるものである。
【００２５】
図１〜５に示すように，本発明の実施例は、乾燥箱１を備える水蒸気の滴下防止を制御する製紙用乾燥機を提供し、乾燥箱１の内底壁に複数の支持棒２が溶接され、支持棒２の表面に支持板３が溶接され、支持棒２の長さが異なり、支持棒２に溶接される支持板３の表面は傾斜状を呈し、乾燥箱１の表面にガスパイプライン４が嵌着され、ガスパイプライン４の乾燥箱１の内部に位置する端部の高さは傾斜している支持板３の比較的低い側に近く、乾燥箱１の内側上部に水蒸気制御器５が溶接され、水蒸気制御器５は２つの面からなり、水蒸気制御器５の底面は傾斜状を呈し、支持板３は、水蒸気制御器５の下面の直下に位置し、水蒸気制御器５の下面には複数の水滴溝６が設けられ、乾燥箱１の表面には、複数の排気孔７が設けられ、案内ブロック１０の表面にバッフル２２が固定的に接続され、排気孔７の乾燥箱１の外部に位置する端部の高さはバッフル２２の高さよりも低く、水滴溝６の一端にガイドブロック８が溶接され、水滴溝６はガイドブロック８と一対一に対応し、ガイドブロック８は排気孔７と一対一に対応し、ガイドブロック８の表面は傾斜状を呈し、ガイドブロック８の表面にガイド溝６が設けられ、ガイドブロック８の水滴溝６から離れた端部は排気孔７の内壁に溶接され、乾燥箱１の表面に案内ブロック１０が溶接され、ガイドブロック１０の上面は円弧状を呈し、排気孔７の乾燥箱１の外部に位置する端部は案内ブロック１０の上方に位置する。
【００２６】
水蒸気制御器５を構成する２つの面と乾燥箱１の内側上部との間に冷却室１１が設置され、冷却室１１の内壁に止水板１２が溶接され、２つごとの止水板１２同士間の距離が同じであり、乾燥箱１の上部に接続ブロック１３が溶接され、接続ブロック１３の表面に冷水管１４が溶接され、冷水管１４の下面に複数の冷水分配管１５が密封して嵌着され、冷水分配管１５の冷却室１１の内部に位置する端部が冷却室１１の内底壁と同じ高さであり、冷水分配管１５の冷水管１４から離れた端部は乾燥箱１を貫通して冷却室１１の内部まで延び、２つごとの止水板１２同士間の上部には冷水分配管１５が設置され、冷水分配管１５に制御水弁１６が固定的に取り付けられ、乾燥箱１の表面に送水管１７が固定的に接続され、送水管１７の表面は傾斜状を呈し、送水管１７の表面は冷却室１１の内部と密封して連通し、乾燥箱１の表面に集水タンク１８が固定的に取り付けられ、集水タンク１８の上面に配水管１９が嵌着され、配水管１９は案内ブロック１０の一端の直下に位置し、集水タンク１８の上面に集水管２０が嵌着され、集水管２０の集水タンク１８から離れたの端部は送水管１７の表面と密封して嵌着され、集水タンク１８の表面に排水管２１が嵌着される。
【００２７】
使用する時、紙を乾燥することによって発生した水蒸気が上昇し、頂部に上昇した水蒸気は、水蒸気制御器５の下に集中し、水蒸気は紙の上に浮かび、水蒸気は上昇して角に堆積し、これは一般的な現象であり、本発明は、水流を制御する方法を採用して、冷水を冷水管によって各冷水分配管の内部に送り、各冷水分配管の制御水弁の開度が異なり、水蒸気が多く溜まる箇所の上方における冷水分配管の水流が大きく、水流は各冷水分配管に沿って冷却室内部の各止水板の間に送り、水蒸気が多い箇所には水の流速が速く、対応する水滴溝の内壁温度が低く、水蒸気は急速に凝縮して減少させて、蒸気は、水蒸気制御器の下面の水滴溝内で水滴に凝縮し、水滴は水滴溝の内壁に沿って傾斜して滑り、水滴溝の内壁は、水滴が垂直に落下することを防止する。水滴は水滴溝の一端に滑り、ガイドブロックに接触してから、ガイドブロックにおけるガイド溝の内壁に沿って排気孔の内部に直接に滑り、次いで水滴は傾斜した排気孔の内部に沿って滑り出し、凝縮した高温の水滴で水流を形成して排気孔７によってガイドブロック１０に流れ、次いで案内ブロック１０の内壁に沿って配水管１９に流れて集水タンク１８の内部に入れて、冷却室１１の内部で熱交換する水は吸熱された後、送水管１７に流れて、集水管２０を介して集水タンク１８の内部に入ることにより、水蒸気の滴下防止を制御する製紙用乾燥機のすべての使用過程を完了する。
【図１】
2020176367.tif 000003
【図２】
2020176367.tif 000004
【図３】
2020176367.tif 000005
【図４】
2020176367.tif 000006
【図５】
2020176367.tif 000007
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
乾燥箱（１）を備える水蒸気の滴下防止を制御する製紙用乾燥機であって、前記乾燥箱（１）の内底壁に複数の支持棒（２）が溶接され、前記支持棒（２）の表面に支持板（３）が溶接され、前記乾燥箱（１）の表面にガスパイプライン（４）が嵌着され、前記乾燥箱（１）の内側上部に水蒸気制御器（５）が溶接され、前記水蒸気制御器（５）は２つの面からなり、前記水蒸気制御器（５）の底面は傾斜状を呈し、前記支持板（３）は、水蒸気制御器（５）の下面の直下に位置し、前記水蒸気制御器（５）の下面には複数の水滴溝（６）が設けられ、前記乾燥箱（１）の表面には、複数の排気孔（７）が設けられ、前記水滴溝（６）の一端にガイドブロック（８）が溶接され、前記ガイドブロック（８）の表面は傾斜状を呈し、前記ガイドブロック（８）の表面にガイド溝（９）が設けられ、前記ガイドブロック（８）の水滴溝（６）から離れた端部は排気孔（７）の内壁に溶接され、前記乾燥箱（１）の表面に案内ブロック（１０）が溶接され、前記案内ブロック（１０）の上面は円弧状を呈し、前記排気孔（７）の乾燥箱（１）の外部に位置する端部は案内ブロック（１０）の上方に位置し、前記水蒸気制御器（５）を構成する２つの面と前記乾燥箱（１）の内側上部との間に冷却室（１１）が設置され、前記冷却室（１１）の内壁に止水板（１２）が溶接され、２つごとの前記止水板（１２）同士間の距離が同じであり、前記乾燥箱（１）の上部に接続ブロック（１３）が溶接され、前記接続ブロック（１３）の表面に冷水管（１４）が溶接され、前記冷水管（１４）の下面に複数の冷水分配管（１５）が密封嵌着され、前記冷水分配管（１５）の冷水管（１４）から離れた端部は前記乾燥箱（１）を貫通して冷却室（１１）の内部まで延び、２つごとの前記止水板（１２）同士間の上部には冷水分配管（１５）が設置され、前記冷水分配管（１５）に制御水弁（１６）が固定的に取り付けられ、前記乾燥箱（１）の表面に送水管（１７）が固定的に接続され、前記送水管（１７）の表面は傾斜状を呈し、前記送水管（１７）の表面は冷却室（１１）の内部と密封して連通し、前記乾燥箱（１）の表面に集水タンク（１８）が固定的に取り付けられ、前記集水タンク（１８）の上面に配水管（１９）が嵌着され、前記配水管（１９）は案内ブロック（１０）の一端の直下に位置し、前記集水タンク（１８）の上面に集水管（２０）が嵌着され、前記集水管（２０）の前記集水タンク（１８）から離れたの端部は送水管（１７）の表面に密封嵌着され、前記集水タンク（１８）の表面に排水管（２１）が嵌着される、ことを特徴とする水蒸気の滴下防止を制御する製紙用乾燥機。
【請求項２】
前記支持棒（２）の長さが異なり、前記支持棒（２）に溶接される支持板（３）の表面は傾斜状を呈する、ことを特徴とする請求項１に記載の水蒸気の滴下防止を制御する製紙用乾燥機。
【請求項３】
前記ガスパイプライン（４）の前記乾燥箱（１）の内部に位置する端部の高さは傾斜している支持板（３）の比較的低い側に近い、ことを特徴とする請求項２に記載の水蒸気の滴下防止を制御する製紙用乾燥機。
【請求項４】
前記水滴溝（６）の内壁は円弧状を呈し、前記ガイド溝（９）の内壁は円弧状を呈し、前記排気孔（７）の内壁は傾斜状を呈する、ことを特徴とする請求項１に記載の水蒸気の滴下防止を制御する製紙用乾燥機。
【請求項５】
前記水滴溝（６）はガイドブロック（８）と一対一に対応し、前記ガイドブロック（８）は排気孔（７）と一対一に対応する、ことを特徴とする請求項１に記載の水蒸気の滴下防止を制御する製紙用乾燥機。
【請求項６】
前記案内ブロック（１０）の表面にバッフル（２２）が固定的に接続され、前記排気孔（７）の前記乾燥箱（１）の外部に位置する端部の高さは前記バッフル（２２）の高さよりも低い、ことを特徴とする請求項１に記載の水蒸気の滴下防止を制御する製紙用乾燥機。
【請求項７】
前記冷水分配管（１５）の冷却室（１１）の内部に位置する端部から前記冷却室（１１）の内底壁までの高さが同じである、ことを特徴とする請求項１に記載の水蒸気の滴下防止を制御する製紙用乾燥機。
【手続補正２】
【補正対象書類名】明細書
【補正対象項目名】０００５
【補正方法】変更
【補正の内容】
【０００５】
上記の目的を達成するために、本発明は以下の技術的解決手段によって達成される：乾燥箱を備える水蒸気の滴下防止を制御する製紙用乾燥機であって、前記乾燥箱の内底壁に複数の支持棒が溶接され、前記支持棒の表面に支持板が溶接され、前記乾燥箱の表面にガスパイプラインが嵌着され、前記乾燥箱の内側上部に水蒸気制御器が溶接され、前記水蒸気制御器は２つの面からなり、前記水蒸気制御器の底面は傾斜状を呈し、前記支持板は、水蒸気制御器の下面の直下に位置し、前記水蒸気制御器の下面には複数の水滴溝が設けられ、前記乾燥箱の表面には、複数の排気孔が設けられ、前記水滴溝の一端にガイドブロックが溶接され、前記ガイドブロックの表面は傾斜状を呈し、前記ガイドブロックの表面にガイド溝が設けられ、前記ガイドブロックの水滴溝（６）から離れた端部は排気孔の内壁に溶接され、前記乾燥箱の表面に案内ブロックが溶接され、前記案内ブロックの上面は円弧状を呈し、前記排気孔の乾燥箱の外部に位置する端部は案内ブロックの上方に位置する。
【手続補正３】
【補正対象書類名】明細書
【補正対象項目名】００２５
【補正方法】変更
【補正の内容】
【００２５】
図１〜５に示すように，本発明の実施例は、乾燥箱１を備える水蒸気の滴下防止を制御する製紙用乾燥機を提供し、乾燥箱１の内底壁に複数の支持棒２が溶接され、支持棒２の表面に支持板３が溶接され、支持棒２の長さが異なり、支持棒２に溶接される支持板３の表面は傾斜状を呈し、乾燥箱１の表面にガスパイプライン４が嵌着され、ガスパイプライン４の乾燥箱１の内部に位置する端部の高さは傾斜している支持板３の比較的低い側に近く、乾燥箱１の内側上部に水蒸気制御器５が溶接され、水蒸気制御器５は２つの面からなり、水蒸気制御器５の底面は傾斜状を呈し、支持板３は、水蒸気制御器５の下面の直下に位置し、水蒸気制御器５の下面には複数の水滴溝６が設けられ、乾燥箱１の表面には、複数の排気孔７が設けられ、案内ブロック１０の表面にバッフル２２が固定的に接続され、排気孔７の乾燥箱１の外部に位置する端部の高さはバッフル２２の高さよりも低く、水滴溝６の一端にガイドブロック８が溶接され、水滴溝６はガイドブロック８と一対一に対応し、ガイドブロック８は排気孔７と一対一に対応し、ガイドブロック８の表面は傾斜状を呈し、ガイドブロック８の表面にガイド溝６が設けられ、ガイドブロック８の水滴溝６から離れた端部は排気孔７の内壁に溶接され、乾燥箱１の表面に案内ブロック１０が溶接され、案内ブロック１０の上面は円弧状を呈し、排気孔７の乾燥箱１の外部に位置する端部は案内ブロック１０の上方に位置する。
【手続補正４】
【補正対象書類名】明細書
【補正対象項目名】００２７
【補正方法】変更
【補正の内容】
【００２７】
使用する時、紙を乾燥することによって発生した水蒸気が上昇し、頂部に上昇した水蒸気は、水蒸気制御器５の下に集中し、水蒸気は紙の上に浮かび、水蒸気は上昇して角に堆積し、これは一般的な現象であり、本発明は、水流を制御する方法を採用して、冷水を冷水管によって各冷水分配管の内部に送り、各冷水分配管の制御水弁の開度が異なり、水蒸気が多く溜まる箇所の上方における冷水分配管の水流が大きく、水流は各冷水分配管に沿って冷却室内部の各止水板の間に送り、水蒸気が多い箇所には水の流速が速く、対応する水滴溝の内壁温度が低く、水蒸気は急速に凝縮して減少させて、蒸気は、水蒸気制御器の下面の水滴溝内で水滴に凝縮し、水滴は水滴溝の内壁に沿って傾斜して滑り、水滴溝の内壁は、水滴が垂直に落下することを防止する。水滴は水滴溝の一端に滑り、ガイドブロックに接触してから、ガイドブロックにおけるガイド溝の内壁に沿って排気孔の内部に直接に滑り、次いで水滴は傾斜した排気孔の内部に沿って滑り出し、凝縮した高温の水滴で水流を形成して排気孔７によって案内ブロック１０に流れ、次いで案内ブロック１０の内壁に沿って配水管１９に流れて集水タンク１８の内部に入れて、冷却室１１の内部で熱交換する水は吸熱された後、送水管１７に流れて、集水管２０を介して集水タンク１８の内部に入ることにより、水蒸気の滴下防止を制御する製紙用乾燥機のすべての使用過程を完了する。